(57)【要約】【課題】既に機能の提供を受けている装置を利用して機能の提供を受けるよう誘導できる誘導装置、誘導プログラム、誘導システム、端末装置、及び端末プログラムを提供する。【解決手段】  機能の提供を求める要求を端末装置から受信すると共に、端末装置を利用する利用者の位置を表す位置情報を受信する受信手段と、受信手段が受信した要求に拒否する場合に、受信手段が受信した位置情報に基づいて、要求に応じている他の端末装置を検索する検索手段と、検索手段が検索した他の端末装置を利用することで機能の提供を受けるよう誘導する誘導情報を送信する送信手段とを備えることを特徴としている。この構成によれば、機能の提供を求める要求に拒否する場合であっても、利用者の位置に基づいて検索した既に要求に応じている他の端末装置を利用して機能の提供を受けるよう誘導する情報を送信できる。【選択図】図１
2009194579.tif 000002
【特許請求の範囲】
【請求項１】
機能の提供を求める要求を端末装置から受信すると共に、前記端末装置を利用する利用者の位置を表す位置情報を受信する受信手段と、
前記受信手段が受信した要求を拒否する場合に、前記受信手段が受信した位置情報に基づいて、前記要求に応じている他の端末装置を検索する検索手段と、
前記検索手段が検索した前記他の端末装置を利用することで前記機能の提供を受けるよう誘導する誘導情報を送信する送信手段とを備えることを特徴とする誘導装置。
【請求項２】
前記他の端末装置を識別する情報と、前記他の端末装置が二以上の利用者が共に利用する装置であるか否かを表す共用情報とを関連付けて記憶する記憶手段を更に備え、
前記検索手段は、前記記憶手段が記憶する共用情報に基づいて、二以上の利用者が共に利用する前記他の端末装置を検索することを特徴とする請求項１に記載の誘導装置。
【請求項３】
前記受信手段は、前記端末装置及び前記他の端末装置を利用する利用者が参加する会議を識別する情報と、前記会議において議論の対象とする対象物に対する注釈を表す注釈画像を投影するよう指示する投影指示とを受信し、
前記機能は、前記投影指示に従って前記注釈画像を前記対象物に投影する機能、及び前記注釈画像を投影された前記対象物の像を撮像した撮像画像を送信する機能のいずれか１つ以上であり、
前記他の端末装置を識別する情報と、前記他の端末装置を利用する利用者が参加する会議を識別する情報とを関連付けて記憶する記憶手段を更に備え、
前記検索手段は、前記受信手段が受信した会議を識別する情報に関連付けて前記記憶手段が記憶する情報で識別される装置であり、かつ前記機能の提供を求める要求に応じている前記他の端末装置を検索することを特徴とする請求項１に記載の誘導装置。
【請求項４】
機能の提供を求める要求を送信すると共に、前記機能の提供を受ける者を識別する情報を送信する送信手段と、
前記送信手段が送信した要求が求める機能の提供を受けない場合に、前記送信手段が送信した識別情報が識別する利用者の位置に基づいて定まり、かつ前記機能の提供を受けている装置を利用することで前記機能の提供を受けるよう誘導する誘導情報を受信する受信手段と、
前記受信手段が受信した誘導情報を表示又は出力するよう表示装置又は出音装置を制御する制御手段とを備えることを特徴とする端末装置。
【請求項５】
前記送信手段は、前記機能の提供を受ける者が参加する会議を識別する情報と、前記会議において議論の対象とする対象物に対する注釈を表す注釈画像を投影するよう指示する投影指示とを送信し、
前記機能は、前記投影指示に従って前記注釈画像を前記対象物に投影する機能、及び前記注釈画像を投影された前記対象物の像を撮像した撮像画像を送信する機能のいずれか１つ以上であり、
前記受信手段は、前記送信手段が送信した情報が識別する会議において議論の対象とする対象物に関する機能の提供を受けている装置を利用するよう誘導する誘導情報を受信することを特徴とする請求項４に記載の端末装置。
【請求項６】
端末装置の利用者が携帯する携帯端末の位置情報を管理する管理手段と、
前記端末装置が送信した機能の提供を求める要求を拒否する場合に、前記管理手段が管理する位置情報に基づいて、前記要求に応じている他の端末装置を検索する検索手段とを備え、
前記端末装置は、前記検索手段が検索した他の端末装置を利用することで前記機能の提供を受けるよう誘導する誘導情報を表示又は出力するよう表示装置又は出音装置を制御することを特徴とする誘導システム。
【請求項７】
前記端末装置を利用する利用者が参加する会議において議論の対象とする対象物に対する注釈を表す注釈画像を投影する投影手段と、
前記投影手段が注釈画像を投影した対象物の像を撮像する撮像手段と、
前記端末装置を識別する情報と、前記端末装置を利用する利用者が参加する会議を識別する情報とを関連付けて記憶する記憶手段とを更に備え、
前記端末装置は、前記注釈画像を前記対象物へ投影するよう指示する投影指示を送信し、
前記機能は、前記端末装置が送信した投影指示に従って前記注釈画像を投影する機能、及び前記注釈画像を投影された対象物の像を撮像した撮像画像を送信する機能のいずれか１つ以上であり、
前記検索手段は、前記記憶手段が記憶する会議を識別する情報に基づいて、前記機能の提供を求める要求に応じている他の端末装置を検索することを特徴とする請求項６に記載の誘導システム。
【請求項８】
コンピュータを、
機能の提供を求める要求を端末装置から受信すると共に、前記端末装置を利用する利用者の位置を表す位置情報を受信する受信手段と、
前記受信手段が受信した要求を拒否する場合に、前記受信手段が受信した位置情報に基づいて、前記要求に応じている他の端末装置を検索する検索手段と、
前記検索手段が検索した他の端末装置を利用することで前記機能の提供を受けるよう誘導する誘導情報を送信する送信手段として機能させることを特徴とする誘導プログラム。
【請求項９】
前記受信手段は、前記他の端末装置を利用する利用者が参加する会議を識別する情報と、前記会議において議論の対象とする対象物に対する注釈を表す注釈画像を投影するよう指示する投影指示とを受信し、
前記機能は、前記投影指示に従って前記注釈画像を前記対象物に投影する機能、及び前記注釈画像を投影された対象物の像を撮像した撮像画像を送信する機能のいずれか１つ以上であり、
コンピュータを、
前記他の端末装置を識別する情報と、前記他の端末装置を利用する利用者が参加する会議を識別する情報とを関連付けて記憶する記憶手段として更に機能させ、
前記検索手段は、前記受信手段が受信した会議を識別する情報と関連付けて前記記憶手段が記憶する情報で識別される装置であり、かつ前記機能の提供を求める要求に応じている他の端末装置を検索することを特徴とする請求項８に記載の誘導プログラム。
【請求項１０】
コンピュータを、
機能の提供を求める要求を送信すると共に、前記機能の提供を受ける者を識別する情報を送信する送信手段と、
前記送信手段が送信した要求が求める機能の提供を受けない場合に、前記送信手段が送信した識別情報が識別する利用者の位置に基づいて定まり、かつ前記機能の提供を受けている装置を利用することで前記機能の提供を受けるよう誘導する誘導情報を受信する受信手段と、
前記受信手段が受信した誘導情報を表示又は出力するよう表示装置又は出音装置を制御する制御手段として機能させることを特徴とする端末プログラム。
【請求項１１】
前記送信手段は、前記機能の提供を受ける者が参加する会議を識別する情報と、前記会議において議論の対象とする対象物に対する注釈を表す注釈画像を投影するよう指示する投影指示とを送信し、
前記機能は、前記投影指示に従って前記注釈画像を前記対象物に投影する機能、及び前記注釈画像を投影された対象物の像を撮像した撮像画像を送信する機能のいずれか１つ以上であり、
前記受信手段は、前記送信手段が送信した情報が識別する会議において議論の対象とする対象物に関する機能の提供を受けている装置を利用するよう誘導する誘導情報を受信することを特徴とする請求項１０に記載の端末プログラム。
【発明の詳細な説明】
【技術分野】
【０００１】
本発明は、誘導装置、誘導プログラム、誘導システム、端末装置、及び端末プログラムに関する。
【背景技術】
【０００２】
従来より、会議室に設置された端末装置と接続して情報を通信すると共に、予め定められた台数を超える端末装置との接続を制限する接続装置を用いて行う会議を予約する方法であって、接続装置が通信に用いるリソース量に基づいて会議に使用する接続装置を選択した上で会議を予約できる会議の予約方法が知られている（例えば、特許文献１）。
【０００３】
この予約方法は、会議の開始時刻から終了時刻までの時間帯において、使用する予定がない通信チャネルの空きリソースが最少となる接続装置を選択することを特徴としている。
【０００４】
【特許文献１】特開平７−２５０１７２号公報
【発明の開示】
【発明が解決しようとする課題】
【０００５】
本発明の目的は、既に機能の提供を受けている装置を利用して機能の提供を受けるよう誘導できる誘導装置、誘導プログラム、誘導システム、端末装置、及び端末プログラムを提供することにある。
【課題を解決するための手段】
【０００６】
本発明に係る誘導装置は、機能の提供を求める要求を端末装置から受信すると共に、端末装置を利用する利用者の位置を表す位置情報を受信する受信手段と、受信手段が受信した要求を拒否する場合に、受信手段が受信した位置情報に基づいて、要求に応じている他の端末装置を検索する検索手段と、検索手段が検索した他の端末装置を利用することで機能の提供を受けるよう誘導する誘導情報を送信する送信手段とを備えることを特徴としている。
【０００７】
上記構成において、他の端末装置を識別する情報と、他の端末装置が二以上の利用者が共に利用する装置であるか否かを表す共用情報とを関連付けて記憶する記憶手段を更に備え、検索手段は、記憶手段が記憶する共用情報に基づいて、二以上の利用者が共に利用する他の端末装置を検索する構成を採用できる。
【０００８】
上記構成において、受信手段は、端末装置及び他の端末装置を利用する利用者が参加する会議を識別する情報と、会議において議論の対象とする対象物に対する注釈を表す注釈画像を投影するよう指示する投影指示とを受信し、機能は、投影指示に従って注釈画像を対象物に投影する機能、及び注釈画像を投影された対象物の像を撮像した撮像画像を送信する機能のいずれか１つ以上であり、他の端末装置を識別する情報と、他の端末装置を利用する利用者が参加する会議を識別する情報とを関連付けて記憶する記憶手段を更に備え、検索手段は、受信手段が受信した会議を識別する情報に関連付けて記憶手段が記憶する情報で識別される装置であり、かつ機能の提供を求める要求に応じている他の端末装置を検索する構成を採用できる。
【０００９】
本発明に係る端末装置は、機能の提供を求める要求を送信すると共に、機能の提供を受ける者を識別する情報を送信する送信手段と、送信手段が送信した要求が求める機能の提供を受けない場合に、送信手段が送信した識別情報が識別する利用者の位置に基づいて定まり、かつ機能の提供を受けている装置を利用することで機能の提供を受けるよう誘導する誘導情報を受信する受信手段と、受信手段が受信した誘導情報を表示又は出力するよう表示装置又は出音装置を制御する制御手段とを備えることを特徴としている。
【００１０】
上記構成において、送信手段は、機能の提供を受ける者が参加する会議を識別する情報と、会議において議論の対象とする対象物に対する注釈を表す注釈画像を投影するよう指示する投影指示とを送信し、機能は、投影指示に従って注釈画像を対象物に投影する機能、及び注釈画像を投影された対象物の像を撮像した撮像画像を送信する機能のいずれか１つ以上であり、受信手段は、送信手段が送信した情報が識別する会議において議論の対象とする対象物に関する機能の提供を受けている装置を利用するよう誘導する誘導情報を受信する構成を採用できる。
【００１１】
本発明に係る誘導システムは、端末装置の利用者が携帯する携帯端末の位置情報を管理する管理手段と、端末装置が送信した機能の提供を求める要求を拒否する場合に、管理手段が管理する位置情報に基づいて、要求に応じている他の端末装置を検索する検索手段とを備え、端末装置は、検索手段が検索した他の端末装置を利用することで機能の提供を受けるよう誘導する誘導情報を表示又は出力するよう表示装置又は出音装置を制御することを特徴としている。
【００１２】
上記構成において、端末装置を利用する利用者が参加する会議において議論の対象とする対象物に対する注釈を表す注釈画像を投影する投影手段と、投影手段が注釈画像を投影した対象物の像を撮像する撮像手段と、端末装置を識別する情報と、端末装置を利用する利用者が参加する会議を識別する情報とを関連付けて記憶する記憶手段とを更に備え、端末装置は、注釈画像を対象物へ投影するよう指示する投影指示を送信し、機能は、端末装置が送信した投影指示に従って注釈画像を投影する機能、及び注釈画像を投影された対象物の像を撮像した撮像画像を送信する機能のいずれか１つ以上であり、検索手段は、記憶手段が記憶する会議を識別する情報に基づいて、機能の提供を求める要求に応じている他の端末装置を検索する構成を採用できる。
【００１３】
本発明に係る誘導プログラムは、コンピュータを、機能の提供を求める要求を端末装置から受信すると共に、端末装置を利用する利用者の位置を表す位置情報を受信する受信手段と、受信手段が受信した要求を拒否する場合に、受信手段が受信した位置情報に基づいて、要求に応じている他の端末装置を検索する検索手段と、検索手段が検索した他の端末装置を利用することで機能の提供を受けるよう誘導する誘導情報を送信する送信手段として機能させることを特徴としている。
【００１４】
上記構成において、受信手段は、他の端末装置を利用する利用者が参加する会議を識別する情報と、会議において議論の対象とする対象物に対する注釈を表す注釈画像を投影するよう指示する投影指示とを受信し、機能は、投影指示に従って注釈画像を対象物に投影する機能、及び注釈画像を投影された対象物の像を撮像した撮像画像を送信する機能のいずれか１つ以上であり、コンピュータを、他の端末装置を識別する情報と、他の端末装置を利用する利用者が参加する会議を識別する情報とを関連付けて記憶する記憶手段として更に機能させ、検索手段は、受信手段が受信した会議を識別する情報と関連付けて記憶手段が記憶する情報で識別される装置であり、かつ機能の提供を求める要求に応じている他の端末装置を検索する構成を採用できる。
【００１５】
本発明に係る端末プログラムは、コンピュータを、機能の提供を求める要求を送信すると共に、機能の提供を受ける者を識別する情報を送信する送信手段と、
送信手段が送信した要求が求める機能の提供を受けない場合に、送信手段が送信した識別情報が識別する利用者の位置に基づいて定まり、かつ機能の提供を受けている装置を利用することで機能の提供を受けるよう誘導する誘導情報を受信する受信手段と、受信手段が受信した誘導情報を表示又は出力するよう表示装置又は出音装置を制御する制御手段として機能させることを特徴としている。
【００１６】
上記構成において、送信手段は、機能の提供を受ける者が参加する会議を識別する情報と、会議において議論の対象とする対象物に対する注釈を表す注釈画像を投影するよう指示する投影指示とを送信し、機能は、投影指示に従って注釈画像を対象物に投影する機能、及び注釈画像を投影された対象物の像を撮像した撮像画像を送信する機能のいずれか１つ以上であり、受信手段は、送信手段が送信した情報が識別する会議において議論の対象とする対象物に関する機能の提供を受けている装置を利用するよう誘導する誘導情報を受信する構成を採用できる。
【発明の効果】
【００１７】
請求項１の構成によれば、機能の提供を求める要求を拒否する場合であっても、利用者の位置に基づいて検索した既に要求に応じている他の端末装置を利用して機能の提供を受けるよう誘導する情報を送信できる。
【００１８】
請求項２の構成によれば、二以上の利用者が共に利用する他の端末装置を、共に利用して機能の提供を受けるよう誘導する情報を送信できる。
【００１９】
請求項３の構成によれば、所望の機能の提供を求める要求に対して既に応じている他の端末装置を利用して投影指示を送信することで、所望の会議に参加するよう誘導できる。
【００２０】
請求項４の構成によれば、端末装置が機能の提供を受けない場合であっても、利用者の位置に基づいて定まる既に機能の提供を受けている装置を利用することで、機能の提供を受けるよう誘導できる。
【００２１】
請求項５の構成によれば、所望の機能の提供を既に受けている装置を利用して投影指示を送信することで、所望の会議に参加するよう誘導できる。
【００２２】
請求項６の構成によれば、機能の提供を求める要求を拒否する場合であっても、利用者が携帯する携帯端末の位置に基づいて検索した既に要求に応じている他の端末装置を利用して機能の提供を受けるよう誘導できる。
【００２３】
請求項７の構成によれば、所望の機能の提供を求める要求に既に応じている他の端末装置を利用して投影指示を送信することで、所望の会議に参加するよう誘導できる。
【００２４】
請求項８の構成によれば、機能の提供を求める要求を拒否する場合であっても、利用者の位置に基づいて検索した既に要求に応じている他の端末装置を利用して機能の提供を受けるよう誘導する情報を送信できる。
【００２５】
請求項９の構成によれば、所望の機能の提供を求める要求に既に応じている端末装置を利用して投影指示を送信することで、所望の会議に参加するよう誘導できる。
【００２６】
請求項１０の構成によれば、端末装置が機能の提供を受けない場合であっても、利用者の位置に基づいて定まる既に機能の提供を受けている装置を利用することで、機能の提供を受けるよう誘導できる。
【００２７】
請求項１１の構成によれば、所望の機能の提供の提供を既に受けている装置を利用して投影指示を送信することで、所望の会議に参加するよう誘導できる。
【発明を実施するための最良の形態】
【００２８】
以下、本発明の最良の実施形態について、添付図面を参照しつつ説明する。
【実施例１】
【００２９】
図１は、本発明の誘導装置及び端末装置を備える誘導システムの一実施形態を示す構成図である。
【００３０】
図１に示す誘導システム１０は、会議室１１０に設置された誘導装置１０００、投影装置１１００、撮像装置１２００、ハーフミラー１３００、及び対象物１９００、会議室１２０に設置された又は持ち込まれた端末装置２０００、表示装置２１００、入力装置２２００、携帯端末２５００、第１受信装置２８００、及び第２受信装置２９００、会議室１３０に設置された又は持ち込まれた端末装置３０００、表示装置３１００、入力装置３２００、携帯端末３５００、第１受信装置３８００、及び第２受信装置３９００、情報管理室１９０に設置された管理装置９０００、並びに会議室１１０に設置された誘導装置１０００、会議室１２０に設置された端末装置２０００、会議室１３０に設置された端末装置３０００、及び情報管理室１９０に設置された管理装置９０００を通信可能に接続する通信網１００で構成される。
【００３１】
ここで、会議室１２０に設置された又は持ち込まれた端末装置２０００、表示装置２１００、入力装置２２００、携帯端末２５００、第１受信装置２８００、及び第２受信装置２９００の接続、構成、及び機能は、会議室１３０に設置された又は持ち込まれた端末装置３０００、表示装置３１００、入力装置３２００、携帯端末３５００、第１受信装置３８００、及び第２受信装置３９００の接続、構成、及び機能と同様であるので、以下主に、会議室１２０に設置された又は持ち込まれた装置についてのみ説明する。
【００３２】
通信網１００は、例えば、ＬＡＮ（Local Area Network ）、ＷＡＮ（Wide Area Network）、ＭＡＮ（Metropolitan Area Network）、又は公衆回線網で構成され、誘導装置１０００、端末装置２０００及び３０００、並びに管理装置９０００を通信可能に接続する。
【００３３】
次に、会議室１１０に設置される装置について説明する。
【００３４】
誘導装置１０００は、例えば、パーソナル・コンピュータで構成され、通信網１００、投影装置１１００、及び撮像装置１２００に接続している。誘導装置は、後述する誘導処理を実行することで、端末装置２０００（又は３０００）が送信した機能の提供を求める要求（以下単に、提供要求又は接続要求という）を拒否する場合に、他の端末装置３０００（又は２０００）を利用して機能の提供を受けるよう誘導する誘導情報を送信する。
【００３５】
尚、上記機能は、投影指示（以下、投影コマンドともいう）に従って注釈画像を前記対象物１９００に投影する機能、及び注釈画像を投影された対象物１９００の像を撮像した撮像画像を送信する機能をいう。
【００３６】
また、投影指示は、端末装置２０００及び他の端末装置３０００を利用する利用者が参加する会議において議論の対象とする対象物１９００に対する注釈を表す注釈画像を投影するよう指示する指示をいう。
【００３７】
更に、説明の便宜のため、特に断ることが無い場合には、誘導装置１０００は、端末装置２０００が送信する提供要求を拒否する一方で、端末装置３０００に対しては、既に機能を提供しているとして説明を行う。
【００３８】
ここで図２及び３を参照して、誘導装置１０００が実行する誘導処理について概説する。
【００３９】
図２は、誘導装置１０００が実行する誘導処理の一例について概説するための図の一部であり、図３は、誘導装置１０００が実行する誘導処理の一例について概説するための図の他部である。
【００４０】
先ず、時刻Ｔ１において、誘導装置１０００は、他の端末装置３０００の求めに応じて機能を提供している。よって、後述するように、他の端末装置３０００は、注釈画像ＰＡを投影された対象物１９００の像を撮像した撮像画像ＰＰを送信する機能の提供を誘導装置１０００から受けて、表示装置３１００が撮像画像ＰＰを表示するよう制御している。
【００４１】
また、時刻Ｔ１において、端末装置２０００は、端末装置２０００を利用する利用者Ｐ１に操作されて、機能の提供を要求する提供要求を誘導装置１０００へ送信する。
【００４２】
次に、時刻Ｔ２において、誘導装置１０００は、端末装置２０００が送信した提供要求に応じないと判定し、提供を拒否することを表す提供拒否情報と共に、他の端末装置３０００を利用して機能の提供を受けるよう誘導する誘導情報を返信する。
【００４３】
その後、時刻Ｔ３において、端末装置２０００は、提供拒否情報と誘導情報とを受信する。次に、端末装置２０００は、機能の提供を受けずに、誘導情報を表示するよう表示装置２１００を制御する。
【００４４】
尚、時刻Ｔ４において、端末装置２０００の利用者Ｐ１は、誘導情報に誘導されて、端末装置２０００ではなく、既に機能の提供を受けている他の端末装置３０００を利用して、要求した機能の提供を受ける。
【００４５】
ここで、誘導装置１０００が実行する誘導処理について説明する前に、図４を参照して、誘導装置１０００の構成について説明する。図４は、誘導装置１０００の一構成例を表す機能ブロック図である。
【００４６】
図４が表す誘導装置１０００は、受信部１０１０、送信部１０１５、記憶部１０２０、共用情報登録部１０２５、参加人数登録部１０３０、会議登録部１０３５、識別情報検索部１０４０、位置取得部１０４５、判定部１０５０、端末検索部１０５５、及び提供部１０６０で構成される。
【００４７】
受信部１０１０、送信部１０１５、記憶部１０２０、共用情報登録部１０２５、参加人数登録部１０３０、会議登録部１０３５、識別情報検索部１０４０、位置取得部１０４５、判定部１０５０、端末検索部１０５５、及び提供部１０６０は、互いにバス１００５により情報の授受が可能なように接続する。
【００４８】
受信部１０１０、送信部１０１５、記憶部１０２０、共用情報登録部１０２５、参加人数登録部１０３０、会議登録部１０３５、識別情報検索部１０４０、位置取得部１０４５、判定部１０５０、端末検索部１０５５、及び提供部１０６０が有する機能は、誘導装置１０００が実行するソフトウェア制御により実現される。
【００４９】
ここで図５を参照して、ソフトウェア制御を実行するために用いる誘導装置１０００のハードウェア構成について説明する。図５は、ソフトウェア制御を実行するために用いる誘導装置１０００のハードウェア構成の一例を表す図である。
【００５０】
誘導装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１００３（Random Access Memory）、並びにハードディスク等で構成される外部記憶部１００４で構成され、演算部１００１、ＲＯＭ１００２、ＲＡＭ１００３、及び外部記憶部１００４は互いにバス１００５によって接続している。
【００５１】
ソフトウェア制御は、演算部１００１が、ＲＯＭ１００２又は外部記憶部１００４に格納したプログラムを読み込み、読み込んだプログラムに従って演算を行うことにより実現される。なお、ＲＡＭ１００３には、演算結果のデータが書き込まれ、特にＮＶＲＡＭには、電源オフ時にバックアップが必要なデータが保存される。
【００５２】
ここで図４に戻り、引き続き誘導装置１０００の構成について説明を続ける。
【００５３】
受信部１０１０は、例えば、ネットワーク・コントローラで構成され、通信網１００に接続する。受信部１０１０は、機能の提供を行う前に下記の情報を受信する提供前受信処理と、機能の提供を行う間に下記の情報を受信する提供時受信処理を実行する。
【００５４】
特に、受信部１０１０は、提供前受信処理を実行することで、機能の提供を求める要求を端末装置２０００又は３０００から受信すると共に、端末装置２０００又は３０００を利用する利用者の位置を表す位置情報等を受信する。
【００５５】
本実施例では、位置情報は、緯度及び経度を用いて位置を識別する情報であるとして説明するが、これに限定される訳ではない。例えば、位置情報は、住所を用いて位置を識別する情報、若しくは建物、階、部屋、及びデスクを用いて位置を識別する情報である構成を採用できる。
【００５６】
また、受信部１０１０は、提供時受信処理を実行することで、端末装置２０００及び他の端末装置３０００を利用する利用者が参加する会議を識別する情報と、会議において議論の対象とする対象物１９００に対する注釈を表す注釈画像ＰＡを投影するよう指示する投影指示等を受信する。
【００５７】
ここで、受信部１０１０が実行する提供前受信処理の一例について説明する。
【００５８】
先ず、受信部１０１０は、端末装置２０００又は３０００から提供要求を受信する。次に、受信部１０１０は、端末装置２０００又は３０００を通信網１００上で識別する情報（以下単に、端末装置識別情報という）を受信する。
【００５９】
本実施例では、端末装置識別情報は、例えば、ＩＰアドレスをいうとして説明するが、これに限定される訳ではなく、ＩＰアドレスと関連付けたドメイン名、マシン名、又はＭＡＣアドレス（Media Access Control address）、若しくはこれらを組合せた情報とする構成を採用できる。
【００６０】
その後、受信部１０１０は、端末装置２０００又は３０００から利用者を識別する利用者識別情報を受信する。
【００６１】
尚、利用者識別情報は、例えば、社員番号又は会員番号であって端末装置２０００又は３０００の利用者を識別する情報であるとして説明するが、これに限定される訳ではなく、例えば、同姓同名の者が組織内に存在しない場合には氏名であっても構わない。
【００６２】
次に、受信部１０１０は、端末装置２０００又は３０００から、端末装置２０００又は３０００の利用者が参加する会議を識別する会議識別情報を受信する。
【００６３】
尚、会議識別情報は、例えば、会議番号であるとして説明するが、これに限定される訳ではなく、例えば、会議の議題、会議の開催場所、及び開催時間のいずれか１つ以上で会議を識別する構成を採用できる。
【００６４】
その後、受信部１０１０は、利用者識別情報、端末装置識別情報、及び会議識別情報を、識別情報検索部１０４０へ出力する。
【００６５】
次に、受信部１０１０は、管理装置９０００から、利用者識別情報で識別される利用者の位置を表す位置情報を受信する。その後、受信部１０１０は、位置取得部１０４５へ、受信した位置情報を出力する。その後、受信部１０１０は、提供前受信処理の実行を終了する。
【００６６】
尚、本実施例では、後述する判定部１０５０の判定に関わらず、提供前受信処理において利用者の利用者識別情報及び位置情報を受信するとして説明したが、これに限定される訳ではない。判定部１０５０が機能の提供を許可する場合には、利用者の利用者識別情報及び位置情報を誘導装置１００が使用しないため、判定部１０５０の判定後にこれらの情報を受信する構成を採用できる。
【００６７】
次に、受信部１０１０が実行する提供時受信処理の一例について説明する。尚、提供時受信処理は、後述する判定部１０５０が提供を許可すると判定した場合に、受信部１０１０が実行する処理である。
【００６８】
先ず、受信部１０１０は、機能の提供を許可した他の端末装置３０００から、二以上の利用者が共に利用する装置であるか否かを表す共用情報を受信する。その後、受信部１０１０は、共用情報及び端末装置３０００の端末装置識別情報を、共用情報登録部１０２５へ出力する。
【００６９】
次に、受信部１０１０は、端末装置３０００を用いて、会議に参加する参加者の人数（以下単に、参加人数という）を受信する。その後、受信部１０１０は、参加人数及び端末装置識別情報を、参加人数登録部１０３０へ出力する。
【００７０】
また、受信部１０１０は、受信した会議識別情報及び端末装置識別情報を、会議登録部１０３５へ出力する。
【００７１】
その後、受信部１０１０は、端末装置３０００から、投影指示を受信する。次に、受信部１０１０は、投影指示を提供部１０６０へ出力する。
【００７２】
その後、受信部１０１０は、処理の実行を終了するよう命じる終了命令（以下単に、終了コマンドという）を端末装置３０００から受信するまで、投影指示の受信及び出力を繰り返した後に、提供時受信処理の実行を終了する。尚、受信部１０１０は、提供時受信処理の実行を終了する前に、誘導装置１０００を構成する各部へ終了コマンドを出力する。
【００７３】
送信部１０１５は、例えば、ネットワーク・コントローラで構成され、通信網１００に接続する。
【００７４】
送信部１０１５は、機能の提供を行う前に下記の情報を送信する提供前送信処理と、機能の提供を行う間に下記の情報を送信する提供時送信処理と、機能の提供を拒否する場合に下記の情報を送信する拒否時送信処理とを実行する。
【００７５】
特に、送信部１０１５は、拒否時送信処理を実行することで、後述する端末検索部１０５５が検索した他の端末装置３０００を利用することで機能の提供を受けるよう誘導する誘導情報等を送信する。
【００７６】
また、送信部１０１５は、提供時送信処理を実行することで、投影指示によって注釈画像ＰＡを投影された対象物１９００の像を撮像した撮像画像ＰＰを送信する。
【００７７】
ここで、送信部１０１５が実行する提供前送信処理の一例について説明する。
【００７８】
先ず、送信部１０１５は、位置取得部１０４５から、利用者識別情報と管理装置９０００を通信網１００上で識別する情報を取得する。次に、送信部１０１５は、管理装置９０００を識別する情報に基づいて、利用者識別情報を管理装置９０００へ送信する。その後、送信部１０１５は、提供前送信処理の実行を終了する。
【００７９】
尚、管理装置９０００を通信網１００上で識別する情報については、端末装置２０００又は３０００を通信網１００上で識別する情報と同様であるので説明を省略する。
【００８０】
次に、送信部１０１５が実行する提供時送信処理の一例について説明する。尚、提供時送信処理は、判定部１０５０が提供を許可すると判定した場合に、送信部１０１５が実行する処理である。
【００８１】
先ず、送信部１０１５は、提供部１０６０から、撮像画像ＰＰと撮像画像ＰＰを送信する端末装置３０００の端末装置識別情報を取得する。次に、送信部１０１５は、端末装置識別情報に基づいて端末装置３０００へ撮像画像ＰＰを送信する。
【００８２】
その後、送信部１０１５は、受信部１０１０から終了コマンドを取得するまで、撮像画像ＰＰの取得と送信とを繰り返した後に、提供時送信処理の実行を終了する。
【００８３】
次に、送信部１０１５が実行する拒否時送信処理の一例について説明を行う。
【００８４】
送信部１０１５は、端末検索部１０５５から、誘導情報と誘導情報を送信する端末装置３０００の端末装置識別情報を取得する。次に、送信部１０１５は、端末装置識別情報に基づいて端末装置３０００へ誘導情報を送信する。その後、送信部１０１５は、拒否時送信処理の実行を終了する。
【００８５】
記憶部１０２０は、ＲＡＭ１００３又は外部記憶部１００４で構成される。記憶部１０２０は、他の端末装置３０００を識別する情報と、他の端末装置３０００が二以上の利用者が共に利用する装置であるか否かを表す共用情報とを関連付けて記憶する。
【００８６】
また、記憶部１０２０は、他の端末装置３０００を識別する情報と、他の端末装置３０００を利用する利用者が参加する会議を識別する情報（つまり、会議識別情報）とを関連付けて記憶する。
【００８７】
ここで表１を参照して、記憶部１０２０が記憶する共用情報及び会議識別情報について説明する。表１は、記憶部１０２０が記憶する共用情報及び会議識別情報の一例を示す表である。
【００８８】
【表１】
2009194579.tif 000003
【００８９】
表１は、端末装置識別情報フィールド、共用情報フィールド、参加人数フィールド、及び会議識別情報フィールドを有する。端末装置識別情報フィールドは、誘導装置１０００が機能を提供している装置の端末装置識別情報を保存する。
【００９０】
よって、表１が保存しない端末装置識別情報で識別される装置に対して、誘導装置１０００は、機能を提供してはいない。
【００９１】
共用情報フィールドは、同一レコードに保存された情報で識別される端末装置を利用して会議に参加する参加者の人数を保存する。会議ＩＤフィールドは、端末装置を利用して参加する会議を識別する会議識別情報を保存する。
【００９２】
また、記憶部１０２０は、端末装置を識別する情報と端末装置を利用して機能の提供を受けるように誘導する誘導情報とを関連付けて記憶する。
【００９３】
ここで表２を参照して、記憶部１０２０が記憶する誘導情報について説明する。表２は、記憶部１０２０が記憶する誘導情報の一例を表す表である。
【００９４】
【表２】
2009194579.tif 000004
【００９５】
表２は、端末装置識別情報フィールド、緯度情報フィールド、経度情報フィールド、及び誘導情報フィールドで構成される。端末装置識別情報フィールドは、端末装置識別情報を保存する。尚、表１の端末装置識別情報フィールドが保存する端末装置識別情報は、常に、表２の端末装置識別情報フィールドが保存する情報となる。
【００９６】
緯度情報フィールドは、同一レコードの端末装置ＩＤフィールドに保存された情報が識別する端末装置の設置されたおよその緯度を表す情報を保存し、経度情報フィールドは、経度を表す情報を保存する。つまり、緯度情報フィールド及び緯度情報フィールドは、位置情報を保存するフィールドである。
【００９７】
本実施例では、端末装置の位置は、緯度及び経度を用いて表すため、位置情報は、緯度及び経度を表す情報であるとして説明するが、これに限定される訳ではない。例えば、端末装置が設置される場所の住所を識別する情報、若しくは端末装置が設置される建物、階、部屋、及びデスクを識別する情報である構成を採用できる。
【００９８】
誘導情報フィールドは、端末装置を利用して機能の提供を受けるよう誘導する誘導情報を保存する。尚、本実施例において、誘導情報は、利用を促す装置の所在を表すテキストメッセージであるとして表に表したが、これに限定される訳ではなく、例えば、mp3（MPEG Audio Layer-3）ファイルのように、利用を促す装置の所在を伝達する音声メッセージを表す電子ファイルである構成を採用できる。
【００９９】
また、誘導情報は、電話することにより、利用を促す装置の所在を通知する音声を、受話器から出力できる電話番号である構成を採用できる。この電話番号は、例えば、利用を促す装置を利用している者が携帯する携帯電話の電話番号、又は利用を促す装置の所在を通知する音声を自動送信する装置の電話番号である構成を採用できる。
【０１００】
更に、記憶部１０２０は、端末装置２０００又は３０００を利用する利用者を識別する利用者識別情報と、例えば、電話番号といった、使用者が携帯する携帯端末の端末装置識別情報とを関連付けて記憶する。
【０１０１】
本実施例において、携帯端末は、例えば、ＰＨＳ（Personal Handy-phone System）又は携帯電話で構成され、携帯端末を識別する情報は、例えば、電話番号であるとして説明を行うが、これに限定される訳ではない。例えば、ＰＨＳ又は携帯電話の装置番号である構成を採用できる。
【０１０２】
更にまた、記憶部１０２０は、機能を提供している端末装置の台数（以下単に、提供数又は接続数という）を含む下記のその他の情報を記憶する。
【０１０３】
ここで図４に戻り、誘導装置１０００の構成について引き続き説明する。
【０１０４】
共用情報登録部１０２５は、後述する共用情報登録処理を実行することで、端末装置を識別する情報（つまり、端末装置識別情報）と、端末装置を共用しているか否かを表す共用情報とを関連付けて記憶部１０２０へ登録する。
【０１０５】
ここで、共用情報登録部１０２５が実行する共用情報登録処理の一例について説明する。
【０１０６】
共用情報登録部１０２５は、受信部１０１０から、端末装置識別情報と共用情報とを取得する。次に、共用情報登録部１０２５は、端末装置識別情報と共用情報とを関連付けて記憶部１０２０が記憶する表１に登録する。その後、共用情報登録部１０２５は、共用情報登録処理の実行を終了する。
【０１０７】
参加人数登録部１０３０は、後述する参加人数登録処理を実行することで、端末装置を識別する情報（つまり、端末装置識別情報）と、端末装置を利用して会議に出席している参加者の人数とを関連付けて記憶部１０２０が記憶する表１に登録する。
【０１０８】
ここで、参加人数登録部１０３０が実行する参加人数登録処理の一例について説明する。
【０１０９】
参加人数登録部１０３０は、受信部１０１０から、端末装置識別情報と参加人数とを取得する。次に、共用情報登録部１０２５は、端末装置識別情報と参加人数とを関連付けて記憶部１０２０が記憶する表１に登録する。その後、参加人数登録部１０３０は、参加人数登録処理の実行を終了する。
【０１１０】
会議登録部１０３５は、後述する会議登録処理を実行することで、端末装置を識別する情報（つまり、端末装置識別情報）と、端末装置を利用する利用者が参加する会議を識別する情報とを関連付けて記憶部１０２０が記憶する表１に登録する。
【０１１１】
ここで、会議登録部１０３５が実行する会議登録処理の一例について説明する。
【０１１２】
会議登録部１０３５は、受信部１０１０から、端末装置識別情報と会議識別情報とを取得する。次に、会議登録部１０３５は、端末装置識別情報と会議識別情報とを関連付けて記憶部１０２０が記憶する表１に登録する。その後、会議登録部１０３５は、会議登録処理の実行を終了する。
【０１１３】
識別情報検索部１０４０は、後述する識別情報検索処理を実行することで、端末装置２０００を利用する利用者を識別する情報に基づいて、利用者が携帯する携帯端末を識別する情報を検索する。
【０１１４】
ここで、図６を参照して、識別情報検索部１０４０が実行する識別情報検索処理について説明する。図６は、識別情報検索部１０４０が実行する識別情報検索処理の一例を表すフローチャートである。
【０１１５】
先ず、識別情報検索部１０４０は、受信部１０１０から、端末装置２０００又は３０００の利用者を識別する利用者識別情報を取得する（ステップＳＴ０００１）。また、図示を省略するが、識別情報検索部１０４０は、受信部１０１０から、端末装置識別情報と会議識別情報をも取得する。
【０１１６】
次に、識別情報検索部１０４０は、記憶部１０２０から、利用者識別情報に基づいて、携帯端末識別情報を検索する（ステップＳＴ０００２）。その後、識別情報検索部１０４０は、位置取得部１０４５へ、検索した携帯端末識別情報を出力する（ステップＳＴ０００３）。
【０１１７】
また、図示を省略するが、識別情報検索部１０４０は、ステップＳＴ０１０１で取得した端末装置識別情報と会議識別情報をも位置取得部１０４５へ出力する。その後、識別情報検索部１０４０は、識別情報検索処理の実行を終了する。
【０１１８】
ここで図４に戻り、誘導装置１０００の構成について引き続き説明を行う。
【０１１９】
位置取得部１０４５は、後述する位置取得処理を実行することで、携帯端末を識別する携帯端末識別情報に基づいて、携帯端末を携帯する者の位置を表す位置情報を取得する。
【０１２０】
ここで図７を参照して、位置取得部１０４５が実行する位置取得処理について説明する。図７は、位置取得部１０４５が実行する位置取得処理の一例を表すフローチャートである。
【０１２１】
先ず、位置取得部１０４５は、識別情報検索部１０４０から、携帯端末識別情報を取得する（ステップＳＴ０１０１）。尚、図示を省略するが、位置取得部１０４５は、識別情報検索部１０４０から、端末装置識別情報及び会議識別情報をも取得する。
【０１２２】
次に、位置取得部１０４５は、送信部１０１５へ、管理装置９０００の識別情報とステップＳＴ０１０１で取得した携帯端末識別情報とを出力する（ステップＳＴ０１０２）。尚、送信部１０１５は、取得した識別情報によって通信網１００上で識別される管理装置９０００へ携帯端末識別情報を送信する。
【０１２３】
その後、位置取得部１０４５は、管理装置９０００から受信した情報であって、送信した携帯端末識別情報で識別される携帯端末を携帯する者（以下単に、端末携帯者という）の位置情報を受信部１０１０から取得する（ステップＳＴ０１０３）。
【０１２４】
次に、位置取得部１０４５は、判定部１０５０へ、位置情報を出力する（ステップＳＴ０１０４）。尚、図示を省略するが、位置取得部１０４５は、端末装置識別情報と会議識別情報とをも判定部１０５０へ出力する。その後、位置取得部１０４５は、位置取得処理の実行を終了する。
【０１２５】
ここで図４に戻り、誘導装置１０００の構成について引き続き説明を行う。
【０１２６】
判定部１０５０は、後述する判定処理を実行することで、受信部１０１０が受信した要求に応じるか否かを判定する。
【０１２７】
ここで図８を参照して、判定部１０５０が実行する判定処理について説明する。図８は、判定部１０５０が実行する判定処理の一例を表すフローチャートである。
【０１２８】
判定部１０５０は、受信部１０１０から、位置情報と端末装置識別情報と会議識別情報とを取得する（ステップＳＴ０２０１）。次に、判定部１０５０は、記憶部１０２０から、提供数（つまり、接続数）を取得する（ステップＳＴ０２０２）。
【０１２９】
その後、判定部１０５０は、記憶部１０２０から、予め定めた提供数の上限値（つまり、接続数の上限値）を取得する（ステップＳＴ０２０３）。次に、判定部１０５０は、提供数が上限値以上であるか否かを判断する（ステップＳＴ０２０４）。判定部１０５０は、提供数が上限値以上であると判断する場合にはステップＳＴ０２０７の処理を、そうで無い場合にはステップＳＴ０２０５の処理を実行する。
【０１３０】
ステップＳＴ０２０４において、判定部１０５０は、提供数が上限値より小さいと判断した場合には、機能の提供を求める要求に応じると判定する（ステップＳＴ０２０５）。次に、判定部１０５０は、提供部１０６０へ、端末装置識別情報と会議識別情報とを出力する（ステップＳＴ０２０６）。その後、判定部１０５０は、判定処理の実行を終了する。
【０１３１】
ステップＳＴ０２０４において、判定部１０５０は、提供数が上限値以上であると判断した場合には、機能の提供を求める要求を拒否すると判定する（ステップＳＴ０２０７）。次に、判定部１０５０は、端末検索部１０５５へ、位置情報と端末装置識別情報と会議識別情報とを出力する（ステップＳＴ０２０８）。その後、判定部１０５０は、判定処理の実行を終了する。
【０１３２】
ここで図４に戻り、誘導装置１０００の構成について引き続き説明を行う。
【０１３３】
端末検索部１０５５は、後述する端末検索処理を実行することで、受信部１０１０が受信した要求を拒否すると判定部１０５０が判定した場合に、受信部１０１０が受信した位置情報に基づいて、既に要求に応じている他の端末装置３０００を検索する。
【０１３４】
ここで図９を参照して、端末検索部１０５５が実行する端末検索処理について説明する。図９は、端末検索部１０５５が実行する端末検索処理の一例を表すフローチャートである。
【０１３５】
先ず、端末検索部１０５５は、判定部１０５０から、位置情報と端末装置識別情報と会議識別情報とを取得する（ステップＳＴ０３０１）。次に、端末検索部１０５５は、記憶部１０２０から、位置情報に基づいて、端末装置識別情報で識別される端末装置２０００の近くに設置された他の端末装置３０００を検索する（ステップＳＴ０３０２）。
【０１３６】
本実施例では、端末検索部１０５５は、記憶部１０２０が記憶する表２から、携帯端末２５００の位置情報が表す緯度及び経度から所定の範囲に属する緯度及び経度を表す位置情報を保存したレコードを検索した後に、検索したレコードが保存する端末装置識別情報で識別される端末装置３０００を、端末装置２０００の近くに設置された他の端末装置として検索するとして説明するが、これに限定される訳ではない。
【０１３７】
例えば、記憶部１０２０は、端末装置識別情報と、端末装置識別情報で識別される端末装置２０００及び３０００の位置情報のみならず、例えば、端末装置２０００及び３０００が利用するファーストホップルータ（First Hop Router）のＩＰ（Internet Protocol）アドレス等の端末装置２０００及び３０００と接続する通信網１００の構成（つまり、ネットワーク構成）を表す情報とを関連付けて記憶し、かつ端末検索部１０５５は、携帯端末２５００の位置情報が表す緯度及び経度から、携帯端末２５００を携帯する者が利用する端末装置２０００を検索すると共に、端末装置２０００と同一セグメント（segment）に属する他の端末装置３０００、又は端末装置２０００と同一のＬＡＮ（Local Area Network ）に接続する他の端末装置３０００を検索することで、端末装置２０００の近くに設置された他の端末装置３０００を検索する構成を採用できる。
【０１３８】
ステップＳＴ０３０２を実行した後に、端末検索部１０５５は、検索した端末装置から、機能提供中の端末装置を抽出する（ステップＳＴ０３０３）。
【０１３９】
具体的には、端末検索部１０５５は、ステップＳＴ０３０２で検索した表２のレコードの内で、記憶部１０２０が記憶する表１が記憶する端末装置識別情報を保存するレコードを抽出する。
【０１４０】
その後、端末検索部１０５５は、抽出した端末装置から、同一の会議で使用されている端末装置を抽出する（ステップＳＴ０３０４）。
【０１４１】
具体的には、端末検索部１０５５は、ステップＳＴ０３０３で抽出した表１のレコードから、ステップＳＴ０３０１で取得した会議識別情報を保存するレコードを抽出する。
【０１４２】
その後、端末検索部１０５５は、ステップＳＴ０３０３で抽出した表２のレコードから、抽出した表１のレコードが保存する端末装置識別情報を保存するレコードを抽出する。
【０１４３】
ステップＳＴ０３０４を実行した後に、端末検索部１０５５は、抽出した端末装置から共用している端末装置を抽出する（ステップＳＴ０３０５）。
【０１４４】
具体的には、端末検索部１０５５は、ステップＳＴ０３０４で抽出した表１のレコードから、共用情報フィールドに値「TRUE」を保存するレコードを抽出する。
【０１４５】
その後、端末検索部１０５５は、ステップＳＴ０３０４で抽出した表２のレコードから、抽出した表１のレコードが保存する端末装置識別情報を保存するレコードを抽出する。
【０１４６】
ステップＳＴ０３０５を実行した後に、端末検索部１０５５は、ステップＳＴ０３０４で抽出したレコードを、レコードが保存する参加人数が多い順にソートする（ステップＳＴ０３０６）。
【０１４７】
次に、端末検索部１０５５は、参加人数の多い順に、所定数の他の端末装置を抽出する（ステップＳＴ０３０７）。本実施例では、１台の他の端末装置を抽出するとして説明するが、これに限定される訳ではなく、二台以上の端末装置を抽出する構成を採用できる。
【０１４８】
その後、端末検索部１０５５は、抽出した他の端末装置３０００の誘導情報を取得する（ステップＳＴ０３０８）。
【０１４９】
具体的には、端末検索部１０５５は、ステップＳＴ０３０７で抽出した他の端末装置を識別する情報を保存するレコードが保存する誘導情報を取得する。この誘導情報は、ステップＳＴ０３０７で抽出した他の端末装置を利用して機能の提供を受けるよう促す情報である。
【０１５０】
ステップＳＴ０３０８を実行した後に、端末検索部１０５５は、送信部１０１５へ、提供拒否情報（つまり、接続拒否情報）と端末装置識別情報とを出力する（ステップＳＴ０３０９）。尚、その後、送信部１０１５は、端末装置識別情報で識別される端末装置２０００へ提供拒否情報を送信する。
【０１５１】
次に、端末検索部１０５５は、送信部１０１５へ、端末装置識別情報とステップＳＴ０３０８で取得した誘導情報とを出力する（ステップＳＴ０３１０）。その後、端末検索部１０５５は、端末検索処理の実行を終了する。尚、送信部１０１５は、端末装置識別情報で識別される端末装置２０００へ誘導情報を送信する。
【０１５２】
ここで図４に戻り、誘導装置１０００の構成について引き続き説明を行う。
【０１５３】
提供部１０６０は、投影装置１１００及び撮像装置１２００に接続している。提供部１０６０は、後述する提供処理を実行することで、提供要求が提供を求める機能を提供する。
【０１５４】
ここで図１０を参照して、提供部１０６０が実行する提供処理について説明する。図１０は、提供部１０６０が実行する提供処理の一例を表すフローチャートである。
【０１５５】
先ず、提供部１０６０は、受信部１０１０から、終了コマンドを取得したか否かを判断する（ステップＳＴ０４０１）。提供部１０６０は、終了コマンドを取得したと判断する場合には提供処理の実行を終了し、そうで無い場合にはステップＳＴ０４０２の処理を実行する。
【０１５６】
ステップＳＴ０４０１において、提供部１０６０は、終了コマンドを取得しないと判断した場合には、判定部１０５０から端末装置識別情報と会議識別情報とを取得したか否かを判断する（ステップＳＴ０４０２）。提供部１０６０は、端末装置識別情報を取得したと判断する場合にはステップＳＴ０４０８の処理を、そうで無い場合にはステップＳＴ０４０３の処理を実行する。
【０１５７】
ステップＳＴ０４０２において、提供部１０６０は、端末装置識別情報を取得しないと判断する場合には、受信部１０１０から、投影指示（つまり、投影コマンド）を取得したか否かを判断する（ステップＳＴ０４０３）。提供部１０６０は、投影指示を取得したと判断する場合にはステップＳＴ０４０９の処理を、そうで無い場合にはステップＳＴ０４０４の処理を実行する。
【０１５８】
ステップＳＴ０４０３において、提供部１０６０は、投影指示を取得しないと判断した場合には、後述するステップＳＴ０４１０において記憶部１０２０に保存した注釈（アノテーション）画像を取得する（ステップＳＴ０４０４）。
【０１５９】
尚、記憶部１０２０が注釈画像ＰＡを記憶していない場合には、提供部１０６０は、予め記憶部１０２０が記憶する初期画像を取得する。
【０１６０】
次に、提供部１０６０は、投影装置１１００へ取得した注釈画像ＰＡ（又は初期画像）を出力することで、投影指示に従って注釈画像ＰＡを対象物１９００へ投影するよう投影装置１１００を制御する（ステップＳＴ０４０５）。
【０１６１】
その後、提供部１０６０は、注釈画像ＰＡが投影された対象物１９００を撮像するよう撮像装置１２００を制御した後に、撮像装置１２００から撮像画像ＰＰを取得する（ステップＳＴ０４０６）。
【０１６２】
尚、提供部１０６０は、二以上の会議においてそれぞれ議論の対象となる対象物に対して注釈画像ＰＡを投影可能に設置された二以上の投影装置、及びそれぞれ議論の対象となる対象物を撮像可能に設置された二以上の撮像装置に接続し、かつ判定部１０５０から取得した会議識別情報で識別される会議において議論の対象となる対象物に対して注釈画像ＰＡを投影するよう一の投影装置を制御すると共に、注釈画像ＰＡを投影した対象物を撮像するよう一の撮像装置を制御する構成を採用できる。
【０１６３】
次に、提供部１０６０は、送信部１０１５へ、端末装置識別情報と撮像画像ＰＰとを出力する（ステップＳＴ０４０７）。尚、送信部１０１５は、端末装置識別情報で識別される端末装置へ撮像画像ＰＰを送信する。その後、提供部１０６０は、ステップＳＴ０４０１に戻り上記処理を繰り返す。
【０１６４】
ステップＳＴ０４０２において、端末装置識別情報を取得したと判断する場合には、提供部１０６０は、送信部１０１５へ、機能の提供を許可することを表す提供許可情報と端末装置識別情報とを出力する（ステップＳＴ０４０８）。その後、提供部１０６０は、ステップＳＴ０４０１に戻り上記処理を繰り返す。  
【０１６５】
尚、送信部１０１５は、端末装置識別情報で識別される端末装置３０００へ、提供許可情報を送信する。
【０１６６】
ステップＳＴ０４０３において、提供部１０６０は、投影指示を取得したと判断した場合には、投影指示に基づいて注釈画像ＰＡを描画する（ステップＳＴ０４０９）。
【０１６７】
本実施例において、提供部１０６０は、投影する画像の形状を座標を用いて定める情報に基づいて注釈画像ＰＡを描画するとして説明するが、これに限定される訳ではなく、予め定めた番号に対応する予め定めた画像を描画する構成を採用できる。
【０１６８】
ステップＳＴ０４０９を実行した後に、提供部１０６０は、描画した注釈画像ＰＡを記憶部１０２０へ保存する（ステップＳＴ０４１０）。その後、提供部１０６０は、ステップＳＴ０４０１に戻り上記処理を繰り返す。
【０１６９】
ここで図１１を参照して、誘導装置１０００が実行する誘導処理について説明する。図１１は、誘導装置１０００が実行する誘導処理の一例を表すフローチャートである。
【０１７０】
先ず、誘導装置１０００は、上記の提供前受信処理を実行する（ステップＳＴ０５０１）。次に、誘導装置１０００は、上記の提供前送信処理を実行する（ステップＳＴ０５０２）。尚、誘導装置１０００は、提供前受信処理及び提供前送信処理とその他の処理とを並列的に実行する。
【０１７１】
その後、誘導装置１０００は、上記の識別情報検索処理を実行する（ステップＳＴ０５０３）。次に、誘導装置１０００は、上記の位置取得処理を実行する（ステップＳＴ０５０４）。
【０１７２】
その後、誘導装置１０００は、上記の判定処理を実行する（ステップＳＴ０５０５）。次に、誘導装置１０００は、上記の判定処理の結果に基づいて要求に応じるか否かを判断する（ステップＳＴ０５０６）。誘導装置１０００は、要求に応じると判断する場合にはステップＳＴ０５０７の処理を、そうで無い場合にはステップＳＴ０５１３の処理を実行する。
【０１７３】
ステップＳＴ０５０６において、誘導装置１０００は、要求に応じると判断した場合には、上記の提供時受信処理を実行する（ステップＳＴ０５０７）。次に、誘導装置１０００は、上記の提供時送信処理を実行する（ステップＳＴ０５０８）。尚、誘導装置１０００は、提供時受信処理及び提供時送信処理をその他の処理と並列的に実行する。
【０１７４】
その後、誘導装置１０００は、上記の共用情報登録処理を実行する（ステップＳＴ０５０９）。次に、誘導装置１０００は、上記の参加人数登録処理を実行する（ステップＳＴ０５１０）。
【０１７５】
その後、誘導装置１０００は、上記の会議登録処理を実行する（ステップＳＴ０５１１）。次に、誘導装置１０００は、上記の提供処理を実行する（ステップＳＴ０５１２）。その後、誘導装置１０００は、誘導処理の実行を終了する。
【０１７６】
ステップＳＴ０５０６において、誘導装置１０００は、要求に応じないと判断した場合には、上記の拒否時送信処理を実行する（ステップＳＴ０５１３）。尚、誘導装置１０００は、拒否時送信処理をその他の処理と並列的に実行する。
【０１７７】
次に、誘導装置１０００は、上記の端末検索処理を実行する（ステップＳＴ０５１４）。その後、誘導装置１０００は、誘導処理の実行を終了する。
【０１７８】
ここで、誘導システム１０の構成について引き続き説明を行うために図１２を参照して投影装置１１００、撮像装置１２００、及びハーフミラー１３００について説明する。図１２は、投影装置１１００、撮像装置１２００、及びハーフミラー１３００の配置位置について説明するための図である。
【０１７９】
投影装置１１００は、例えば、液晶プロジェクタで構成され、誘導装置１０００に接続している。また投影装置１１００は、投影装置１１００のハーフミラー１３００を介した光学的な主軸ＰＯ１と、撮像装置１２００のハーフミラー１３００を介した光学的な主軸ＰＯ２とが略一致するように配置されている。
【０１８０】
投影装置１１００は、誘導装置１０００に制御されて、対象物１９００に対する注釈を表す注釈画像（つまり、アノテーション画像）ＰＡをハーフミラー１３００を介して対象物１９００に投影する。
【０１８１】
本実施例において、投影装置１１００は、注釈画像ＰＡを表す光をハーフミラー１３００によって反射させた後に対象物１９００へ投影するとして説明を行う。
【０１８２】
撮像装置１２００は、例えば、ビデオカメラ又はＷｅｂカメラで構成され、誘導装置１０００に接続している。撮像装置１２００は、対象物１９００及び投影装置１１００がハーフミラー１３００を介して対象物１９００に投影した注釈画像ＰＡを、ハーフミラー１３００を介して撮像できる位置に設置されている。
【０１８３】
また特に、撮像装置１２００は、誘導装置１０００に制御されて、投影装置１１００が光を投射する部分を含む対象物１９００の像をハーフミラー１３００を介して撮像する。
【０１８４】
本実施例において、撮像装置１２００は、ハーフミラー１３００を透過する光によって対象物１９００の像を撮像するとして説明を行う。
【０１８５】
ハーフミラー１３００は、例えば、ビームスプリッターで構成される。ハーフミラー１３００は、投影装置１１００が投影した注釈画像ＰＡを表す光の反射光が対象物１９００に照射され、かつ対象物１９００で反射した光の透過光によって撮像装置が対象物１９００及び対象物１９００に投影された画像を撮像できるように配置されている。
【０１８６】
ここで図１に戻り、誘導システム１０の構成について引き続き説明を行う。以下、会議室１２０に設置される装置について説明する。
【０１８７】
端末装置２０００は、例えば、パーソナル・コンピュータで構成され、通信網１００、表示装置２１００、入力装置２２００、第１受信装置２８００に接続する。
【０１８８】
端末装置２０００は、後述する端末処理を実行することで、誘導装置１０００による機能の提供を受けない場合に、機能の提供を受けている他の装置３０００を利用することで機能の提供を受けるよう誘導する誘導情報を表示するよう表示装置２１００を制御する。
【０１８９】
本実施例において、端末装置２０００は、誘導情報を表示するよう表示装置２１００を制御するとして説明するが、これに限定される訳ではなく、誘導情報が音声情報である場合に、端末装置２０００は、例えば、スピーカ等の端末装置２０００に接続する出音装置が誘導情報を出力するよう制御する構成を採用できる。
【０１９０】
ここで図１３を参照して、端末装置２０００の構成について説明する。図１３は、端末装置２０００の一構成例を表す機能ブロック図である。
【０１９１】
図１３に示す端末装置２０００は、受信部２０１０、送信部２０２０、記憶部２０３０、共用判定部２０４０、及び制御部２０５０で構成される。共用判定部２０４０及び制御部２０５０が有する機能は、端末装置２０００が実行するソフトウェア制御により実現される。
【０１９２】
端末装置２０００がソフトウェア制御を実行するために用いるハードウェア構成は、誘導装置１０００がソフトウェア制御を実行するために用いるハードウェア構成と同様であるため説明を省略する。
【０１９３】
受信部２０１０は、例えば、ネットワーク・アダプタで構成される。受信部２０１０は、受信処理を実行することで、下記各種の情報を受信する。
【０１９４】
特に、受信部２０１０は、後述する送信部２０２０が送信した要求が求める機能の提供を受けない場合に、送信部２０２０が送信した識別情報が識別する利用者の位置に基づいて定まり、かつ機能の提供を受けている装置を利用することで機能の提供を受けるよう誘導する誘導情報を受信する。
【０１９５】
尚、この受信部２０１０が受信する誘導情報は、送信部２０２０が送信した情報が識別する会議において議論の対象とする対象物１９００に関する機能の提供を受けている他の装置３０００を利用するよう誘導する情報である。
【０１９６】
送信部２０２０は、例えば、ネットワーク・アダプタで構成される。送信部２０２０は、送信処理を実行することで、下記各種の情報を送信する。
【０１９７】
特に、送信部２０２０は、機能の提供を求める要求を送信すると共に、機能の提供を受ける者を識別する情報を送信する。また、送信部２０２０は、機能の提供を受ける者が参加する会議を識別する情報を送信する。
【０１９８】
更に、送信部２０２０は、会議において議論の対象とする対象物１９００に対する注釈を表す注釈画像ＰＡを投影するよう指示する投影指示とを送信する。
【０１９９】
記憶部２０３０は、例えば、ＲＡＭ又は外部記憶装置で構成され、共用判断部２０４０及び制御部２０５０に接続する。記憶部２０３０は、下記各種の情報を記憶する。また、記憶部２０３０が記憶する情報は、共用判断部２０４０及び制御部２０５０によって参照される。
【０２００】
共用判断部２０４０は、記憶部２０３０及び制御部２０５０に接続する。共用判断部２０４０は、後述する共用判断処理を実行することで、端末装置２０００が二以上の利用者によって共に利用される装置であるか否かを判断する。
【０２０１】
ここで、共用判断部２０４０が実行する共用判断処理の一例について説明する。
【０２０２】
先ず、共用判断部２０４０は、記憶部２０３０が記憶する履歴情報を参照する。履歴情報とは、端末装置２０００の利用者を認証する制御部２０３０が実行するユーザ認証処理の結果を、認証時刻と関連付けた情報をいう。
【０２０３】
次に、共用判断部２０４０は、履歴情報に基づいて、所定の期間内に、二以上のユーザが認証をクリアしたか否かを判断する。共用判断部２０４０は、二以上のユーザが認証をクリアしたと判断した場合には、端末装置２０００が二以上の利用者が共に利用する装置であると判断すると共に共用情報を値「TRUE」とし、そうで無い場合には、端末装置２０００が単独の利用者が単独で利用する装置であると判断すると共に共用情報を値「FALSE」とする。
【０２０４】
その後、共用情報を制御部２０５０へ出力する。次に、共用判断部２０４０は、共用判断処理の実行を終了する。
【０２０５】
制御部２０５０は、表示装置２１００、入力装置２１００、及び第１受信装置２８００に接続する。制御部２０５０は、後述する制御処理を実行することで、端末装置２０００を構成する各部及び端末装置２０００に接続する各装置を制御する。
【０２０６】
ここで図１４を参照して、制御部２０５０が実行する制御処理について説明する。図１４は、制御部２０５０が実行する制御処理の一例を表すフローチャートである。
【０２０７】
先ず、制御部２０５０は、機能の提供を受ける前に端末装置２０００を構成する各部を制御する提供前制御処理を実行する（ステップＳＴ０６０１）。
【０２０８】
ここで図１５を参照して、制御部２０５０が実行する提供前制御処理について説明を行う。図１５は、制御部２０５０が実行する提供前制御処理の一例を表す図である。
【０２０９】
先ず、制御部２０５０は、端末装置２０００を利用する者が入力装置２２００を操作して入力した提供要求（つまり、接続要求）を取得する（ステップＳＴ０７０１）。次に、制御部２０５０は、送信部２０２０へ、提供要求を出力する（ステップＳＴ０７０２）。尚、送信部２０２０は、制御部２０５０から取得した情報を誘導装置１０００へ送信する。
【０２１０】
次に、制御部２０５０は、送信部２０２０へ、端末装置２０００の端末装置識別情報を出力する（ステップＳＴ０７０３）。その後、制御部２０５０は、利用者が入力装置２２００を操作して入力した会議識別情報を取得する（ステップＳＴ０７０４）。次に、制御部２０５０は、会議識別情報を送信部２０２０へ出力する（ステップＳＴ０７０５）。
【０２１１】
次に、制御部２０５０は、第１受信装置２８００から、利用者識別情報を取得する（ステップＳＴ０７０６）。その後、制御部２０５０は、送信部２０２０へ利用者識別情報を出力する（ステップＳＴ０７０７）。
【０２１２】
次に、制御部２０５０は、受信部２０１０から、提供許可情報又は提供拒否情報を取得する（ステップＳＴ０７０８）。その後、制御部２０５０は、提供前制御処理の実行を終了する。尚、制御部２０５０が受信部２０１０から取得する情報は、受信部２０１０が受信した情報である。
【０２１３】
ここで図１４に戻り、制御部２０５０が実行する制御処理について引き続き説明を行う。
【０２１４】
ステップＳＴ０６０１を実行した後に、制御部２０５０は、受信部２０１０から提供許可情報を取得したか否かを判断する（ステップＳＴ０６０２）制御部２０５０は、提供許可情報を取得したと判断する場合にはステップＳＴ０６０５の処理を、そうで無い場合にはステップＳＴ０６０３の処理を実行する。
【０２１５】
ステップＳＴ０６０２において、制御部２０５０は、提供許可情報を取得しなかったと判断した場合には、受信部２０１０から、誘導情報を取得する（ステップＳＴ０６０３）。次に、制御部２０５０は、表示装置２１００へ誘導情報を出力することで、誘導情報を表示するよう表示装置２１００を制御する（ステップＳＴ０６０４）。その後、制御部２０５０は、制御処理の実行を終了する。
【０２１６】
尚、上記ステップＳＴ０６０３からＳＴ０６０４の処理は、受信部２０１０が提供拒否情報を受信した後に実行する制御処理であるため、拒否時制御処理といいう。また、下記ステップＳＴ０６０５からＳＴ０６０９の処理は、受信部２０１０が提供許可情報を受信した後に実行する制御処理であるため、許可時制御処理という。
【０２１７】
ステップＳＴ０６０２において、制御部２０５０は、提供許可情報を取得したと判断した場合には、共用判定部２０４０から、共用情報を取得する（ステップＳＴ０６０５）。次に、制御部２０５０は、送信部２０２０へ共用情報を出力する（ステップＳＴ０６０６）。
【０２１８】
その後、制御部２０５０は、入力装置２２００から、会議の参加人数を取得する（ステップＳＴ０６０７）。次に、制御部２０５０は、送信部２０２０へ、参加人数を出力する（ステップＳＴ０６０８）。
【０２１９】
その後、制御部２０５０は、後述する投影指示を送信するために端末装置２０００を構成する各部を制御する指示制御処理を実行する（ステップＳＴ０６０９）。次に、制御部２０５０は、制御処理の実行を終了する。
【０２２０】
ここで図１６及び１７を参照して、制御部２０５０が実行する指示制御処理について説明する。図１６は、制御部２０５０が実行する指示制御処理の一例を表すフローチャートの一部であり、図１７は、制御部２０５０が実行する指示制御処理の一例を表すフローチャートの他部である。
【０２２１】
先ず、制御部２０５０は、入力装置２２００から、終了命令（つまり、終了コマンド）を取得したか否かを判断する（ステップＳＴ０８０１）。制御部２０５０は、終了命令を取得したと判断する場合には指示制御処理の実行を終了し、そうで無い場合にはステップＳＴ０８０２の処理を実行する。
【０２２２】
ステップＳＴ０８０１において、制御部２０５０は、終了命令を取得しないと判断した場合には、受信部２０１０から撮像画像ＰＰを取得する（ステップＳＴ０８０２）。次に、制御部２０５０は、取得した撮像画像ＰＰを表示装置２１００へ出力することで、撮像画像ＰＰを表示するよう表示装置２１００を制御する（ステップＳＴ０８０３）。
【０２２３】
次に、制御部２０５０は、入力装置２２００から投影指示（つまり、投影コマンド）を取得したか否かを判断する（ステップＳＴ０８０４）。制御部２０５０は、投影指示を取得したと判断する場合にはステップＳＴ０８０５の処理を実行し、そうで無い場合にはステップＳＴ０８０１の処理に戻り上記処理を繰り返す。
【０２２４】
ステップＳＴ０８０４において、制御部２０５０は、投影指示を取得したと判断した場合には、投影指示に基づいて注釈（アノテーション）画像を描画する（ステップＳＴ０８０５）。
【０２２５】
次に、制御部２０５０は、撮像画像ＰＰに表された対象物１９００の像において、投影指示が注釈画像ＰＡを投影するよう指示する位置に、注釈画像ＰＡを重畳する（ステップＳＴ０８０６）。
【０２２６】
その後、制御部２０５０は、重畳した画像を表示装置２１００へ出力することで、重畳した画像を表示するよう表示装置２１００を制御する（ステップＳＴ０８０７）。
【０２２７】
次に、制御部２０５０は、誘導装置１０００へ投影指示（コマンド）を送信するか否かを判断する（ステップＳＴ０８０８）。制御部２０５０は、送信すると判断する場合にはステップＳＴ０８０９の処理を実行し、そうで無い場合にはステップＳＴ０８０１に戻り上記処理を繰り返す。
【０２２８】
尚、制御部２０５０が投影指示を送信すると判断する場合とは、例えば、入力装置２２００が確定キーに対応する信号を制御部２０５０へ出力した場合を含む。
【０２２９】
ステップＳＴ０８０８において、投影指示を送信すると判断した場合には、制御部２０５０は、送信部２０２０へ投影指示を出力する（ステップＳＴ０８０９）。制御部２０５０は、ステップＳＴ０８０１に戻り上記処理を繰り返す。
【０２３０】
次に、端末装置２０００が実行する端末処理の一例について説明する。
【０２３１】
先ず、端末装置２０００は、上記の送信処理を実行する。次に、端末装置２０００は、上記の受信処理を実行する。尚、端末装置２０００は、送信処理及び受信処理を他の処理と並列的に実行する。
【０２３２】
その後、端末装置２０００は、提供前制御処理を実行する。端末装置２０００は、提供許可情報を取得した場合には、共用判定処理を実行する。次に、端末装置２０００は、提供時制御処理を実行する。その後、端末装置２０００は、端末処理の実行を終了する。
【０２３３】
一方、提供拒否情報を取得した場合には、端末装置２０００は、拒否時制御処理を実行する。その後、端末装置２０００は、端末処理の実行を終了する。
【０２３４】
ここで図１に戻り、誘導システム１０の構成について引き続き説明する。
【０２３５】
表示装置２１００は、例えば、液晶ディスプレイ、プラズマディスプレイ、又はＣＲＴ（Cathode Ray Tube）で構成され、端末装置２０００に接続している。表示装置２１００は、端末装置２０００に制御されて、上記各種の情報を表示する。
【０２３６】
入力装置２２００は、例えば、キーボード、マウス、又はタッチパネルで構成され、端末装置２０００に接続する。入力装置２２００は、端末装置２０００の利用者に操作されて、上記各種の情報及び信号を端末装置２０００へ入力する。
【０２３７】
携帯端末２５００は、例えば、携帯電話又はＰＨＳ（Personal Handy-phone System）で構成され、音声を表す情報のみならず携帯端末を識別する情報、及びＧＰＳ（Global Positioning System）を利用して特定した位置情報を表す電波を発信している。
【０２３８】
また携帯端末２５００は、例えば、Ｆｅｌｉｃａ方式で情報を無線通信するために用いるＩＣチップ（以下単に、Ｆｅｌｉｃａチップという）を備える。このＦｅｌｉｃａチップは、携帯端末２５００を携帯する者であり、かつ端末装置２０００を利用する者を識別する利用者識別情報を表す電波を発信している。
【０２３９】
本実施例において、携帯端末２５００は、例えば、携帯電話又はＰＨＳで構成されるとして説明したが、これに限定される訳ではない。例えば、無線ＬＡＮ子機を備えたノートパソコン又はＰＡＤ（Personal Digital Assistant）で構成され、例えば、装置の製造番号又はＭＡＣアドレス等を携帯端末を識別する情報として送信する構成を採用できる。
【０２４０】
第１受信装置２８００は、例えば、Ｆｅｌｉｃａリーダで構成される無線受信機であり、端末装置２０００に接続している。第１受信装置２８００は、携帯端末２５００が発信する電波を受信し、受信した電波が表す利用者識別情報を端末装置２０００へ出力する。
【０２４１】
第２受信装置２９００は、例えば、アンテナで構成される無線受信機であり、通信網１００を介して管理装置９０００に接続する。第２受信装置２９００は、携帯端末２５００が発信する電波を受信し、受信した電波が表す音声、携帯端末を識別する情報、及び位置情報を通信網１００を介して管理装置９０００へ送信する。
【０２４２】
本実施例において、携帯端末２５００が位置情報を発信するとして説明したが、これに限定される訳ではない。例えば、第２受信装置２９００は、無線ＬＡＮ親機で構成され、かつ携帯端末２５００が位置情報を発信しない代わりに、第２受信装置２９００の位置を表す情報、又は第２受信装置２９００が電波を受信できる範囲又は範囲の中心を表す情報を、携帯端末２５００を携帯する者であり、かつ端末装置２０００の利用者の位置を表す位置情報として、第２受信装置２９００が管理装置９０００へ送信する構成を採用できる。
【０２４３】
以下、情報管理室１９０に設置される装置について説明する。
【０２４４】
管理装置９０００は、例えば、パーソナル・コンピュータで構成され、通信網１００に接続している。管理装置９０００は、後述する管理処理を実行することで、位置情報の管理を行う。また、管理装置９０００は、後述する検索処理を実行することで、位置情報の検索を行う。
【０２４５】
尚、管理装置９０００が、管理処理及び検索処理を実行するために用いるハードウェア構成は、誘導装置１０００がソフトウェア制御を実行するために用いるハードウェア構成と同様であるので説明を省略する。
【０２４６】
ここで、管理装置９０００が実行する管理処理の一例について説明する。
【０２４７】
先ず、管理装置９０００は、通信網１００を介して、第２受信装置２９００又は３９００から、位置情報と携帯端末識別情報とを受信する。次に、管理装置９０００は、例えば、ＲＡＭ又は外部記憶装置で構成される記憶部に、位置情報と携帯端末識別情報とを関連付けて新規登録又は更新登録する。その後、管理装置９０００は、管理処理の実行を終了する。
【０２４８】
次に、管理装置９０００が実行する検索処理の一例について説明する。
【０２４９】
先ず、管理装置９０００は、誘導装置１０００から、検索に用いる携帯端末識別情報を通信網１００を介して受信する。次に、管理装置９０００は、携帯端末識別情報と関連付けて記憶部に登録した位置情報を検索する。
【０２５０】
その後、管理装置９０００は、検索した位置情報を誘導装置３０００へ送信する。次に、管理装置９０００は、検索処理の実行を終了する。
【０２５１】
本実施例において、対象物１９００は立方体として図示したが、これに限定される訳ではない。例えば、対象物１９００は、直方体、角柱、円柱、角錐、円錐、及び球体等の他の立体形状、並びにシート状の平面形状である構成を採用できる。
【０２５２】
本実施例において、例えば、アンテナで構成される第２受信装置２９００及び３９００は、会議室１２０及び１３０に設置されるとして説明したが、これに限定される訳ではなく、会議室１２０及び１３０で携帯される携帯端末が発信する端末装置識別情報及び位置情報を表す電波を受信できる任意の位置に設置する構成で足りる。
【０２５３】
本実施例において、管理装置９０００は、会議室１１０から１３０とは異なる情報管理室１９０に設置されるとして説明したが、これに限定される訳ではなく、例えば、管理装置９０００は、会議室１１０から１３０のいずれかに設置される構成を採用できる。
【０２５４】
本実施例においては、受信部１０１０が誘導装置の備える受信手段に相当し、送信部１０１５が誘導装置の備える送信手段に相当し、記憶部１０２０が誘導装置の備える記憶手段に相当し、かつ端末検索部１０５５が誘導装置の備える検索手段に相当する。
【０２５５】
また本実施例においては、受信部２０１０が端末装置の備える受信手段に相当し、送信部２０２０が端末装置の備える送信手段に相当し、かつ制御部２０５０が端末装置の備える制御手段に相当する。
【０２５６】
更に本実施例においては、誘導装置１０００の有する記憶部１０２０が誘導システムの備える記憶手段に相当し、誘導装置１０００の有する端末検索部１０５５が誘導システムの備える検索手段に相当し、投影装置１１００が誘導システムの備える投影手段に相当し、撮像装置１２００が誘導システムの備える撮像手段に相当し、かつ管理装置９０００が誘導システムの備える管理手段に相当する。
【０２５７】
誘導装置１０００、端末装置２０００及び３０００、並びに管理装置９０００は、演算部がＲＯＭ及びＲＡＭの少なくともひとつに格納されたプログラムを実行することによって実現される。また、このプログラムは、磁気ディスクや光ディスク、半導体メモリ、その他の記録媒体に格納して配布したり、ネットワークを介して配信したりすることにより提供できる。
【０２５８】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【０２５９】
【図１】本発明の誘導装置及び端末装置を備える誘導システムの一実施形態を示す構成図である。
【図２】誘導装置が実行する誘導処理の一例について概説するための図の一部である。
【図３】誘導装置が実行する誘導処理の一例について概説するための図の他部である。
【図４】誘導装置の一構成例を表す機能ブロック図である。
【図５】ソフトウェア制御を実行するために用いる誘導装置のハードウェア構成の一例を表す図である。
【図６】識別情報検索部が実行する識別情報検索処理の一例を表すフローチャートである。
【図７】位置取得部が実行する位置取得処理の一例を表すフローチャートである
【図８】判定部が実行する判定処理の一例を表すフローチャートである。
【図９】端末検索部が実行する端末検索処理の一例を表すフローチャートである。
【図１０】提供部が実行する提供処理の一例を表すフローチャートである。
【図１１】誘導装置が実行する誘導処理の一例を表すフローチャートである。
【図１２】投影装置、撮像装置、及びハーフミラーの配置位置について説明するための図である。
【図１３】端末装置の一構成例を表す機能ブロック図である。
【図１４】制御部が実行する制御処理の一例を表すフローチャートである。
【図１５】制御部が実行する提供前制御処理の一例を表す図である。
【図１６】制御部が実行する指示制御処理の一例を表すフローチャートの一部である。
【図１７】制御部が実行する指示制御処理の一例を表すフローチャートの他部である。
【符号の説明】
【０２６０】
１０…誘導システム                １００…通信網                    
１０００…誘導装置                １００１…演算部                  
１００２…ＲＯＭ                  １００３…ＲＡＭ                  
１００４…外部記憶部              １００５…バス                    
１０１０…受信部（受信手段）      １０１５…送信部（送信手段）      
１０２０…記憶部（記憶手段）      １０２５…共用情報登録部          
１０３０…参加人数登録部          １０３５…会議登録部              
１０４０…識別情報検索部          １０４５…位置情報取得部          
１０５０…判定部                  １０５５…端末検索部（検索手段）  
１０６０…提供部                  １１０…会議室                    
１１００…投影装置（投影手段）    １２０…会議室                    
１２００…撮像装置（撮像手段）    １３０…会議室                    
１３００…ハーフミラー            １９０…情報管理室                
１９００…対象物                  ２０００…端末装置                
２０１０…受信部（受信手段）      ２０２０…送信部（送信手段）      
２０３０…記憶部（記憶手段）      ２０４０…共用判定部              
２０５０…制御部（制御手段）      ２１００…表示装置                
２２００…入力装置                ２５００…携帯端末                
２８００…第１受信装置            ２９００…第２受信装置            
３０００…端末装置                ３１００…表示装置                
３２００…入力装置                ３５００…携帯端末                
３８００…第１受信装置            ３９００…第２受信装置            
９０００…管理装置（管理手段）    Ｐ１…参加者                      
Ｐ２…参加者                      ＰＡ…注釈（アノテーション）画像  
ＰＯ１…光学的主軸                ＰＯ２…光学的主軸                
ＰＰ…撮像画像                    
【図１】
2009194579.tif 000005
【図２】
2009194579.tif 000006
【図３】
2009194579.tif 000007
【図４】
2009194579.tif 000008
【図５】
2009194579.tif 000009
【図６】
2009194579.tif 000010
【図７】
2009194579.tif 000011
【図８】
2009194579.tif 000012
【図９】
2009194579.tif 000013
【図１０】
2009194579.tif 000014
【図１１】
2009194579.tif 000015
【図１２】
2009194579.tif 000016
【図１３】
2009194579.tif 000017
【図１４】
2009194579.tif 000018
【図１５】
2009194579.tif 000019
【図１６】
2009194579.tif 000020
【図１７】
2009194579.tif 000021